【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
基礎の上面に沿って配置され且つ上向きに開口する凹溝を含む土台本体と、
柱立設位置の直下で上記土台本体の凹溝の開口部を覆い且つ上面に柱の下端に設けたスリットに挿入する垂直片を立設している支持体と、を含み、
上記土台本体は、アルミニウムまたはアルミニウム合金からなり所定の断面形状を有する押出形材を、それらの押出方向に沿ってそれぞれの所定長さで切断したものである、ことを特徴とする建物用土台。
【請求項２】
前記土台本体は、前記基礎の上面に固定される底片と当該底片上の左右両側に断面矩形の一対の中空角形部とを有すると共に、係る一対の中空角形部および上記底片の間に前記凹溝が位置している、ことを特徴とする請求項１に記載の建物用土台。
【請求項３】
前記土台本体の上向きに開口する凹溝には、柱立設位置の以外の位置において上記凹溝の開口部を覆う前記同様の押出形材からなるカバーが取り付けられる、ことを特徴とする請求項１または請求項２に記載の建物用土台。
【請求項４】
前記カバーは、前記土台本体の凹溝に嵌合される断面ほぼ下向きのコ字形を呈し、その水平片が上記土台本体における一対の中空角形部の上面と面一になる、ことを特徴とする請求項３に記載の建物用土台。
【請求項５】
前記土台本体の上向きに開口する凹溝は、前記押出形材の上面を前記支持体の長さ分だけ切除することにより形成される、ことを特徴とする請求項１に記載の建物用土台。
【請求項６】
前記支持体は、前記垂直片に前記柱の下部を貫通するピンを貫通させるピン孔を開設している、ことを特徴とする請求項１乃至請求項５の何れか一項に記載の建物用土台。
【請求項７】
前記支持体は、前記土台本体の凹溝に嵌合される断面矩形の矩形部を有し、係る矩形部の上面に前記垂直片が立設している、ことを特徴とする請求項１乃至請求項６の何れか一項に記載の建物用土台。
【請求項８】
前記支持体は、前記矩形部の上面から左右に延び且つ前記土台本体の各中空角形部の上面に載置される一対のフランジを有する、ことを特徴とする請求項７に記載の建物用土台。
【請求項９】
前記支持体は、前記基礎の上面から突出するアンカーボルトに固定される、ことを特徴とする請求項１乃至請求項８の何れか一項に記載の建物用土台。
【請求項１０】
前記支持体は、前記矩形部の上面における前記垂直片の長手方向の両側にナット締め付け具挿入用で大径の通し孔を有すると共に、係る通し孔の直下に位置する上記矩形部の底面に前記アンカーボルト貫通用で細径の貫通孔を有する、ことを特徴とする請求項９に記載の建物用土台。
【請求項１１】
前記支持体は、垂直片と当該垂直片の長手方向の両側または片側に延長して形成される矩形部とにより形成されると共に、その延長部に、前記アンカーボルト貫通用の貫通孔が形成されていることを特徴とする請求項９に記載の建物用土台。
【請求項１２】
前記支持体は、垂直片部分と矩形部部分とが一体に形成されたアルミニウムまたはアルミニウム合金からなる押出形材を、その押出方向に沿ってそれぞれの所定長さで切断すると共に、前記垂直片部分を適宜切除して形成されてなる、ことを特徴とする請求項１乃至請求項１１の何れか一項に記載の建物用土台。
【請求項１３】
基礎の上面に固定される土台本体と、
柱立設位置の直下で上記土台本体に配置され且つ上面に柱の下端に設けたスリットに挿入する垂直片を立設している支持体と、を含み、
上記土台本体は、アルミニウムまたはアルミニウム合金からなり所定の断面形状を有する押出形材を、それらの押出方向に沿ってそれぞれの所定長さで切断したものである、ことを特徴とする建物用土台。
【請求項１４】
前記支持体は、前記垂直片に前記柱の下部を貫通するピンを貫通させるピン孔を開設している、ことを特徴とする請求項１３に記載の建物用土台。
【請求項１５】
前記土台本体は、その左右の上隅部に凸条を有し、
前記支持体の両端が、前記凸条に近接又は当接していることを特徴とする請求項１３又は請求項１４に記載の建物用土台。
【手続補正２】
【補正対象書類名】明細書
【補正対象項目名】０００９
【補正方法】変更
【補正の内容】
【０００９】
また、本発明には、請求項１に記載の建物用土台であって、前記土台本体の上向きに開口する凹溝は、前記押出形材の上面を前記支持体の長さ分だけ切除することにより形成される、建物用土台（請求項５）も含まれる。
これによれば、前述のカバーを取り付ける必要がなくなるので、部品点数が少なく、設置作業の簡略化を図ることができる。
【手続補正３】
【補正対象書類名】明細書
【補正対象項目名】００１２
【補正方法】変更
【補正の内容】
【００１２】
更に、本発明には、前記支持体は、前記基礎の上面から突出するアンカーボルトに固定される、建物用土台（請求項９）も含まれる。
これによれば、支持体が基礎に埋設されたアンカーボルトに直接固定されるので、その取付強度が非常に高く、この支持体に固定される柱を確実に支持することが可能となる。
加えて、本発明には、前記支持体は、前記矩形部の上面における前記垂直片の長手方向の両側にナット締め付け具挿入用で大径の通し孔を有すると共に、係る通し孔の直下に位置する上記矩形部の底面に前記アンカーボルト貫通用で細径の貫通孔を有する、建物用土台（請求項１０）も含まれる。
これによれば、基礎の上面から土台本体の底片を貫通したアンカーボルトを上記貫通孔から支持体の矩形部内に挿入できると共に、上記ボルトの雄ネジ部に締結するナットを、上記通し孔から矩形部内に挿入した例えばボックススパナなどにて締結できる。これにより、支持体は、柱立設位置の直下で、土台本体と共に基礎上に固定することができる。従って、柱を確実に支持することが可能となる。尚、上記長手方向とは、支持体の押出方向であり且つ土台の長手方向である。
【手続補正４】
【補正対象書類名】明細書
【補正対象項目名】００１３
【補正方法】変更
【補正の内容】
【００１３】
また、本発明には、前記支持体は、垂直片と当該垂直片の長手方向の両側または片側に延長して形成される矩形部とにより形成されると共に、その延長部に、前記アンカーボルト貫通用の貫通孔が形成されている、建物用土台（請求項１１）も含まれる。
これによると、土台本体と支持体とを同時に基礎上に固定することができるので、施工効率が非常に高いものとなる。
【手続補正５】
【補正対象書類名】明細書
【補正対象項目名】００１４
【補正方法】変更
【補正の内容】
【００１４】
さらに、本発明には、前記支持体は、垂直片部分と矩形部部分とが一体に形成されたアルミニウムまたはアルミニウム合金からなる押出形材を、その押出方向に沿ってそれぞれの所定長さで切断すると共に、前記垂直片部分を適宜切除して形成されてなる、建物用土台（請求項１２）も含まれる。
これによれば、溶接等により矩形部と垂直片とを一体にする場合に比べて、その寸法精度を格段に向上させることができるので、結果として歪の少ない建物を構築することが可能となる。
【手続補正６】
【補正対象書類名】明細書
【補正対象項目名】００４４
【補正方法】変更
【補正の内容】
【００４４】
また、柱４０を建物用土台１００上に立設するには、支持体１２０の上方に柱４０を垂直に配置するとともに、その下端部に形成されたスリット４４を垂直片１２１に挿入し、さらに、図示しないピンを柱４０の透孔４６および垂直片１２１のピン孔１２１ａに貫通させればよい。
【手続補正７】
【補正対象書類名】明細書
【補正対象項目名】００４５
【補正方法】変更
【補正の内容】
【００４５】
このような建物用土台１００によると、支持体１２０が土台本体１１０の凹溝１１１に嵌り込むため、その前後左右への移動・変形が抑制され、その結果、支持体１２０に固定される柱４０の接合強度が非常に高いものとなる。
【手続補正８】
【補正対象書類名】明細書
【補正対象項目名】００５２
【補正方法】変更
【補正の内容】
【００５２】
また、隅柱４０’を建物用土台１００上に立設するには、支持体１３０の上方に隅柱４０’を垂直に配置するとともに、その下端部に形成されたスリット４４を垂直片１３１に挿入し、さらに、図示しないピンを隅柱４０’の透孔４６および垂直片１３１のピン孔１３１ａに貫通させればよい。